【手続補正書】
【提出日】平成18年3月10日(2006.3.10)
【手続補正１】
【補正対象書類名】明細書
【補正対象項目名】特許請求の範囲
【補正方法】変更
【補正の内容】
【特許請求の範囲】
【請求項１】  搬送ガスまたは混合ガスの流れに混入された粉末状物質用の散布装置において、
第一部材および第二部材を具備し、第一部材は上記流れが流れ込む内側部と周辺の放出縁部とを有し、第二部材は上記内側部と対面する側部と周辺の放出縁部とを有し、第一部材の放出縁部と第二部材の放出縁部との間に放出開口が画成され、該放出開口の寸法は一つまたはそれ以上の第三部材によって定められ、各第三部材は、上記第一部材に近接した第一端部と上記第二部材に近接した第二端部とを有し、上記第三部材は不均一な横断面を有し、第一端部と第二端部との間における各第三部材の横断面の面積はその第一端部および第二端部の一方における第三部材の横断面の面積よりも小さい散布装置。
【請求項２】  上記第一端部と第二端部との間における各第三部材の横断面の面積はその第一端部および第二端部の両方における各第三部分の横断面の面積よりも小さい請求項１に記載の散布装置。
【請求項３】  上記第一部材と各第一端部とのうちの一方は第一ネジ山付き開口を有すると共にこれらのうちの他方は上記第一ネジ山付き開口と係合する相補的な第一ネジ部を有し、上記第二部材と各第二端部とのうちの一方は第二ネジ山付き開口を有すると共にこれらのうちの他方は上記第二ネジ山付き開口と係合する相補的な第二ネジ部を有する請求項１に記載の散布装置。
【請求項４】  上記第一部材の軸線を中心として上記第一部材と第二部材と第三部材とを組み立てたものを回転させるための回転子をさらに有する請求項１に記載の散布装置。
【請求項５】  高電位の電源と、第一部材と第二部材と第三部材とを組み立てたものに設けられた電極と、上記高電位の電源を電極に接続するための手段とをさらに有する請求項４に記載の散布装置。
【請求項６】  上記粉末状物質の流動的な流れを提供する装置と、該装置から上記内側部へ流動的な粉末物質を搬送する導管とをさらに有する請求項４に記載の散布装置。
【請求項７】  高電位の電源と、第一部材と第二部材と第三部材とを組み立てたものに設けられた電極と、上記高電位の電源を電極に接続するための手段とをさらに有する請求項６に記載の散布装置。
【請求項８】  上記粉末状物質の流動的な流れを提供する装置と、該装置から上記内側部へ流動的な粉末状物質を搬送する導管とをさらに有する請求項１に記載の散布装置。
【請求項９】  上記第一部材は、該第一部材の外側部を画成する外側部分と、上記内側部を画成するライナーとを有する請求項１に記載の散布装置。
【請求項１０】  上記第一部材と第二部材と第三部材とを組み立てたものは第一の外形部を有し、上記電極は上記第一部材と第二部材と第三部材とを組み立てたものに対して電極を方向付けするように相補的な第二の外形部を有する請求項９に記載の散布装置。
【請求項１１】  高電位の電源と、第一部材と第二部材と第三部材とを組み立てたものに設けられた電極と、上記高電位の電源を電極に接続するための手段とをさらに有する請求項９に記載の散布装置。
【請求項１２】  上記第一部材と各第一端部とのうちの一方は第一ネジ山付き開口を有すると共にこれらのうちの他方は上記第一ネジ山付き開口に係合する相補的な第一ネジ部を有し、上記第一端部は、係合している相補的な第一ネジ山部と第一ネジ山付き開口とに近接して上記第一部材と当接するような半径方向外側に向かって延びる外形部を有する請求項１に記載の散布装置。
【請求項１３】  上記第二部材と各第二端部とのうちの一方は第二ネジ山付き開口を有すると共にこれらのうちの他方は上記第二ネジ山付き開口に係合する相補的な第二ネジ部を有し、上記第二端部は、係合している相補的な第二ネジ山部と第二ネジ山付き開口とに近接して第二部材と当接するような半径方向外側に向かって延びる外形部を有する請求項１２に記載の散布装置。
【請求項１４】  上記第一部材と各第一端部とのうちの一方は切頭円錐状外形部を有し、これらのうちの他方は上記切頭円錐状外形部を受容する相補的な凹部を有する請求項１に記載の散布装置。
【請求項１５】  上記第二部材と各第二端部とのうちの一方は第二ネジ山付き開口を有すると共にこれらのうちの他方は上記第二ネジ山付き開口に係合する相補的な第二ネジ部を有し、上記第二端部は、係合している相補的な第二ネジ山部と第二ネジ山付き開口とに近接して第二部材と当接するような半径方向外側に向かって延びる外形部を有する請求項１４に記載の散布装置。
【請求項１６】  上記第二部材と各第二端部とのうちの一方は第二ネジ山付き開口を有すると共にこれらのうちの他方は上記第二ネジ山付き開口に係合する相補的な第二ネジ部を有し、上記第二端部は、係合している相補的な第二ネジ山部と第二ネジ山付き開口とに近接して第二部材と当接するような半径方向外側に向かって延びる外形部を有する請求項１に記載の散布装置。
【請求項１７】  上記第二部材と各第二端部とのうちの一方は切頭円錐状外形部を有し、これらのうちの他方は上記切頭円錐状外形部を受容する相補的な凹部を有する請求項１に記載の散布装置。
【請求項１８】  搬送ガスまたは混合ガスの流れに混入された粉末状物質用の散布装置において、
第一部材および第二部材を具備し、第一部材は上記流れが流れ込む内側部と周辺の放出縁部とを有し、第二部材は上記内側部と対面する側部と周辺の放出縁部とを有し、第一部材の放出縁部と第二部材の放出縁部との間に放出開口が画成され、該放出開口の寸法は一つまたはそれ以上の第三部材によって定められ、各第三部材は、上記第一部材に近接した第一端部と上記第二部材に近接した第二端部とを有し、上記第三部材は不均一な横断面を有し、第一端部と第二端部との間における各第三部材の横断面の面積はその第一端部および第二端部の一方における第三部材の横断面の面積よりも小さく、上記第一部材の軸線を中心として上記第一部材と第二部材と第三部材とを組み立てたものを回転させる回転子をさらに有する散布装置。
【請求項１９】  高電位の電源と、第一部材と第二部材と第三部材とを組み立てたものに設けられた電極と、上記高電位の電源を電極に接続するための手段とをさらに有する請求項１８に記載の散布装置。
【請求項２０】  上記第一部材と各第一端部とのうちの一方は第一ネジ山付き開口を有すると共にこれらのうちの他方は上記第一ネジ山付き開口に係合する相補的な第一ネジ部を有し、上記第一端部は、係合している相補的な第一ネジ山部と第一ネジ山付き開口とに近接して上記第一部材と当接するような半径方向外側に向かって延びる外形部を有する請求項１８に記載の散布装置。
【請求項２１】  上記第二部材と各第二端部とのうちの一方は第二ネジ山付き開口を有すると共にこれらのうちの他方は上記第二ネジ山付き開口に係合する相補的な第二ネジ部を有し、上記第二端部は、係合している相補的な第二ネジ山部と第二ネジ山付き開口とに近接して第二部材と当接するような半径方向外側に向かって延びる外形部を有する請求項１８に記載の散布装置。
【請求項２２】  上記第一部材と各第一端部とのうちの一方は切頭円錐状外形部を有し、これらのうちの他方は上記切頭円錐状外形部を受容する相補的な凹部を有する請求項１８に記載の散布装置。
【請求項２３】  上記第二部材と各第二端部とのうちの一方は第二ネジ山付き開口を有すると共にこれらのうちの他方は上記第二ネジ山付き開口に係合する相補的な第二ネジ部を有し、上記第二端部は、係合している相補的な第二ネジ山部と第二ネジ山付き開口とに近接して第二部材と当接するような半径方向外側に向かって延びる外形部を有する請求項２２に記載の散布装置。
【請求項２４】  上記第二部材と各第二端部とのうちの一方は第二ネジ山付き開口を有すると共にこれらのうちの他方は上記第二ネジ山付き開口に係合する相補的な第二ネジ部を有し、上記第二端部は、係合している相補的な第二ネジ山部と第二ネジ山付き開口とに近接して第二部材と当接するような半径方向外側に向かって延びる外形部を有する請求項１８に記載の散布装置。
【請求項２５】  上記第二部材と各第二端部とのうちの一方は切頭円錐状外形部を有し、これらのうちの他方は上記切頭円錐状外形部を受容する相補的な凹部を有する請求項１８に記載の散布装置。
【請求項２６】  搬送ガスまたは混合ガスの流れに混入された粉末状物質用の流動的な流れを提供する装置を有する散布装置において、
第一部材および第二部材を具備し、第一部材は内側部と上記提供装置から上記内側部へ流動的な粉末物質を搬送する導管と、周辺の放出縁部とを有し、第二部材は上記内側部と対面する側部と周辺の放出縁部とを有し、第一部材の放出縁部と第二部材の放出縁部との間に放出開口が画成され、該放出開口の寸法は一つまたはそれ以上の第三部材によって定められ、各第三部材は、上記第一部材に近接した第一端部と上記第二部材に近接した第二端部とを有し、上記第三部材は不均一な横断面を有し、第一端部と第二端部との間における各第三部材の横断面の面積はその第一端部および第二端部の一方における第三部材の横断面の面積よりも小さい散布装置。
【請求項２７】  高電位の電源と、第一部材と第二部材と第三部材とを組み立てたものに設けられた電極と、上記高電位の電源を電極に接続するための手段とをさらに有する請求項２６に記載の散布装置。
【請求項２８】  上記第一部材と各第一端部とのうちの一方は第一ネジ山付き開口を有すると共にこれらのうちの他方は上記第一ネジ山付き開口に係合する相補的な第一ネジ部を有し、上記第一端部は、係合している相補的な第一ネジ山部と第一ネジ山付き開口とに近接して上記第一部材と当接するような半径方向外側に向かって延びる外形部を有する請求項２６に記載の散布装置。
【請求項２９】  上記第二部材と各第二端部とのうちの一方は第二ネジ山付き開口を有すると共にこれらのうちの他方は上記第二ネジ山付き開口に係合する相補的な第二ネジ部を有し、上記第二端部は、係合している相補的な第二ネジ山部と第二ネジ山付き開口とに近接して第二部材と当接するような半径方向外側に向かって延びる外形部を有する請求項２８に記載の散布装置。
【請求項３０】  上記第一部材と各第一端部とのうちの一方は切頭円錐状外形部を有し、これらのうちの他方は上記切頭円錐状外形部を受容する相補的な凹部を有する請求項２６に記載の散布装置。
【請求項３１】  上記第二部材と各第二端部とのうちの一方は第二ネジ山付き開口を有すると共にこれらのうちの他方は上記第二ネジ山付き開口に係合する相補的な第二ネジ部を有し、上記第二端部は、係合している相補的な第二ネジ山部と第二ネジ山付き開口とに近接して第二部材と当接するような半径方向外側に向かって延びる外形部を有する請求項３０に記載の散布装置。
【請求項３２】  上記第二部材と各第二端部とのうちの一方は第二ネジ山付き開口を有すると共にこれらのうちの他方は上記第二ネジ山付き開口に係合する相補的な第二ネジ部を有し、上記第二端部は、係合している相補的な第二ネジ山部と第二ネジ山付き開口とに近接して第二部材と当接するような半径方向外側に向かって延びる外形部を有する請求項２６に記載の散布装置。
【請求項３３】  上記第二部材と各第二端部とのうちの一方は切頭円錐状外形部を有し、これらのうちの他方は上記切頭円錐状外形部を受容する相補的な凹部を有する請求項２６に記載の散布装置。